(57)【要約】【課題】非接触ＩＣリーダライタの通信範囲内に複数のカードが混在することによって発生するエラーを低減すべく、ユーザによってカードがかざされているときにカード搬送パス上のカードをＩＣリーダライタの通信範囲内に搬送させないようにする。【解決手段】第１通信部１２にあるカードＣ１および第２通信部１３にあるカードＣ２に対して通信可能に設けられており、カード搬送パスＰ上のカードＣ１が第１通信部１２以外の待機部１４にあるときに第２通信部１３におけるカードＣ２の有無を検出する。その結果に応じてカードＣ１の搬送を制御する。【選択図】図７
2010262417.tif 000002
【特許請求の範囲】
【請求項１】
ホストコンピュータと、
ＩＣリーダライタ装置筐体と、
前記装置筐体の内部に設けられ、第１のカードを搬送するための搬送パスと、
無線信号を送受信することで、前記搬送パス上の第１通信部にある前記第１のカードおよび前記搬送パスとは異なる位置の第２通信部にユーザによって前記装置筐体の外部から位置づけられる第２のカードと選択的に通信可能なＩＣリードライト部と、
を備えた非接触ＩＣリードライトシステムにおいて、
前記第１通信部と前記搬送パス上の前記第１通信部から外れた待機部との間で前記第１のカードを搬送する搬送手段と、
前記第１のカードが前記待機部にある状態で、前記第２通信部において第２のカードの有無を検出する検出手段と、
前記検出手段の結果に応じて前記搬送手段を制御する制御手段と、
を備えたことを特徴とする非接触ＩＣリードライトシステム。
【請求項２】
前記制御手段は、前記検出手段によって前記第２通信部において前記第２のカードを検出した場合は、前記第１のカードを前記第１通信部に進入させないように前記搬送手段を制御することを特徴とする請求項１に記載の非接触ＩＣリードライトシステム。
【請求項３】
さらに、前記第２のカードと前記ＩＣリードライト部との通信を禁止するための通信禁止手段を備え、
前記制御手段は、前記検出手段によって前記第２通信部に前記第２のカードが無いことが検出された場合に、前記通信禁止手段によって前記第２のカードと前記ＩＣリードライト部との通信を不可能な状態にし、前記第１のカードを前記第１通信部に搬送するように制御することを特徴とする請求項１または２に記載の非接触ＩＣリードライトシステム。
【請求項４】
前記通信禁止手段は、前記第２通信部の範囲を縮小させることで前記第２のカードと前記ＩＣリードライト部との通信を不可能な状態にすることを特徴とする請求項３に記載の非接触ＩＣリードライトシステム。
【請求項５】
前記通信禁止手段は、前記無線信号を遮断することで前記第２通信部の範囲を縮小させる遮断部材を有し、前記遮断部材は、前記無線信号を遮断する遮断位置と、前記無線信号を遮断しない退避位置との間で移動可能に構成されたことを特徴とする請求項４に記載の非接触ＩＣリードライトシステム。
【請求項６】
前記ＩＣリードライト部は、前記装置筐体の一部と前記搬送パスとの間で、前記装置筐体よりも前記搬送パスに近い位置に設けられ、前記通信禁止手段は、前記ＩＣリードライト部が発信する前記無線信号のレベルを低減することを特徴とする請求項４に記載の非接触ＩＣリードライトシステム。
【請求項７】
前記装置筐体は、前記第２通信部に前記第２のカードを挿入するための挿入口を有し、
前記通信禁止手段は、前記挿入口に前記第２のカードの進入を防止する進入防止部材を有することを特徴とする請求項４に記載の非接触ＩＣリードライトシステム。
【請求項８】
前記制御手段は、前記検出手段によって前記第２通信部において第２のカードを検出した場合、前記第２のカードの処理状態に応じて前記第１のカードの搬送を制御することを特徴とする請求項１または２に記載の非接触ＩＣリードライトシステム。
【請求項９】
前記検出手段は、前記ＩＣリードライト部から発信される無線信号に対する前記第２のカードからの反応の有無によって前記カードの有無を検出することを特徴とする請求項１、２、３または８に記載の非接触ＩＣリードライトシステム。
【請求項１０】
前記検出手段は、前記第２通信部において前記第２のカードの有無を検出するセンサを有することを特徴とする請求項１、２、３または８に記載の非接触ＩＣリードライトシステム。
【請求項１１】
ＩＣリーダライタ装置筐体と、
前記装置筐体の内部に設けられ、第１のカードを搬送するための搬送パスと、
無線信号を送受信することで、前記搬送パス上の第１通信部にある前記第１のカードおよび前記搬送パスとは異なる位置の第２通信部にユーザによって前記装置筐体の外部から位置づけられる第２のカードと選択的に通信可能なＩＣリードライト部と、
を備えた非接触ＩＣリーダライタ装置において、
前記第１通信部と前記搬送パス上の前記第１通信部から外れた待機部との間で前記第１のカードを搬送する搬送手段と、
前記第１のカードが前記待機部にある状態で、前記第２通信部において第２のカードの有無を検出する検出手段と、
前記検出手段の結果に応じて前記搬送手段を制御する制御手段と、
を備えたことを特徴とする非接触ＩＣリーダライタ装置。
【請求項１２】
プリンタ装置筐体と、
前記装置筐体の内部に設けられ、第１のカードを搬送するための搬送パスと、
無線信号を送受信することで、前記搬送パス上の第１通信部にある前記第１のカードおよび前記搬送パスとは異なる位置の第２通信部にユーザによって前記装置筐体の外部から位置づけられる第２のカードと選択的に通信可能なＩＣリードライト部と、
前記第1のカードの表面に文字ないし画像を印刷する印刷部と、
を備えたプリンタ装置において、
前記第１通信部と前記搬送パス上の前記第１通信部から外れた待機部との間で前記第１のカードを搬送する搬送手段と、
前記第１のカードが前記待機部にある状態で、前記第２通信部において第２のカードの有無を検出する検出手段と、
前記検出手段の結果に応じて前記搬送手段を制御する制御手段と、
を備えたことを特徴とするプリンタ装置。
【発明の詳細な説明】
【技術分野】
【０００１】
本発明は、非接触にてＩＣカードと通信を行い、データの読込みおよび書込み処理が可能な非接触ＩＣリードライトシステムに関するものである。
【背景技術】
【０００２】
ＩＣカードは、ＩＣチップを内蔵したカードから構成され、磁気ストライプカードに比べて大容量のデータを扱うことができ、また高いセキュリティを確保できることから、個人識別用のＩＤカードやプリペイドカード等として使用されている。また、このようなＩＤカードを発行するために、カード表面に印刷をする機能を持つカードプリンタと、カードにデータを書込みおよび読取りをするためのＩＣリーダライタとが一体となったプリンタ装置が使用され、カード表面への印刷処理とＩＣチップへのデータの記録処理とを行っている。このような場合、プリンタ装置はカード搬送パスを有し、ＩＣリーダライタのアンテナをカード搬送パス近傍に設けることで、カード搬送パスの所定の位置に搬送されたカードとＩＣリーダライタとの通信を行う。また別のＩＣリーダライタとしては、ＩＣリーダライタの装置筐体の外部からユーザがカードをかざすことによって、カードとＩＣリーダライタとの通信を行うものもある。
【０００３】
従来、上述したカード搬送パス上のカードと装置筐体の外部からユーザによってかざされたカードとの両方に対して、１台のＩＣリーダライタで通信可能なＩＣリーダライタ装置は知られている（例えば、特許文献１参照）。このようなＩＣリーダライタ装置では、カード搬送パス上のカードに対してはカード発行ためのデータを書込む場合がある。その際、データが書込まれるカードはブランクカードを使用することが多い。一方、装置筐体の外部からかざされるカードは、既に発行されたカードが使用されることが多く、カードに対してデータの読取りや書換えの処理が行われる。
【０００４】
しかし、１台のＩＣリーダライタをカード搬送パス上のカードと装置筐体の外部からかざされるカードとの両方に通信可能に構成すると、複数のカードがＩＣリーダライタの通信距離の範囲内に混在してしまう場合が考えられる。このような場合ＩＣリーダライタやカードの種類によっては、例えば、カード搬送パス上のブランクカードに対してデータの書込み処理を行う際に、発行済みのカードを装置筐体の外部の通信可能な位置にかざしてしまうと、ブランクカードに対する書込み処理に影響が出たり、本来ブランクカードに書込むはずのデータを発行済みのカードに対して上書きしたりしてしまうおそれがある。
【０００５】
ところで、カード搬送パス上のカードと装置筐体の外部からかざされるカードとを、１台のＩＣリーダライタで同時に通信させないように構成されたＩＣリーダライタ装置は知られている（例えば、特許文献２参照）。この装置によると、カード搬送パス上でカードをロックするロック機構を備えており、カードが搬送パスに挿入されてロック機構によりカードが固定されるとロック信号が発生する。そのロック信号の発生によりＩＣリーダライタの通信距離を縮め、装置筐体の外部からかざされるカードとの通信を行わないように構成している。この構成であれば、ロック信号が発生したときに搬送パス上のカードのみを処理するので上述した問題を防ぐことはできるが、既存の装置に加えてロック機構を設けなければならないので構成が複雑になる。さらに、装置筐体の外部からかざされたカードに対して処理をしている途中で搬送パスにカードが挿入されて通信距離が縮められると、装置筐体の外部からかざされたカードに対する処理が中断されてしまうおそれがある。
【先行技術文献】
【特許文献】
【０００６】
【特許文献１】特開平１１−１６１７５１号公報
【特許文献２】特開２０００−２８５２０７号公報
【発明の概要】
【発明が解決しようとする課題】
【０００７】
本発明は、上記課題を解決するもので、ユーザによってかざされたカードの処理を中断してしまうことのないよう、ユーザによってカードがかざされているときにカード搬送パス上のカードをＩＣリーダライタの通信範囲内に搬送することのない非接触ＩＣリードライトシステム、非接触ＩＣリーダライタ装置およびプリンタ装置を提供することを目的とする。
【課題を解決するための手段】
【０００８】
上記課題を解決するために、本発明は、ホストコンピュータと、装置筐体と、前記装置筐体の内部に設けられ、第１のカードを搬送するための搬送パスと、無線信号を送受信することで、前記搬送パス上の第１通信部にある前記第１のカードおよび前記搬送パスとは異なる位置の第２通信部にユーザによって前記装置筐体の外部から位置づけられる第２のカードと選択的に通信可能なＩＣリードライト部と、を備えた非接触ＩＣリードライトシステムにおいて、前記第１通信部と前記搬送パス上の前記第１通信部から外れた待機部との間で前記第１のカードを搬送する搬送手段と、前記第１のカードが前記待機部にある状態で、前記第２通信部において第２のカードの有無を検出する検出手段と、前記検出手段の結果に応じて前記搬送手段を制御する制御手段とを備えたことを特徴とする。
【０００９】
また、本発明の非接触ＩＣリードライトシステムは、前記検出手段によって前記第２通信部において前記第２のカードを検出した場合は、前記第１のカードを前記第１通信部に進入させないように前記搬送手段を制御することを特徴とする。
【００１０】
さらに、本発明の非接触ＩＣリードライトシステムは、前記第２のカードと前記ＩＣリードライト部との通信を禁止するための通信禁止手段を備え、前記制御手段は、前記検出手段によって前記第２通信部に前記第２のカードが無いことが検出された場合に、前記通信禁止手段によって前記第２のカードと前記ＩＣリードライト部との通信を不可能な状態にし、前記第１のカードを前記第１通信部に搬送するように制御することを特徴とする。
【発明の効果】
【００１１】
本発明では、内蔵された１台のＩＣリーダライタが、第１通信部にある第１のカードおよび第２通信部にある第２のカードに対して通信可能に設けられており、カード搬送パス上の第１のカードが第１通信部以外の待機部にあるときに第２通信部における第２のカードの有無を検出する。その結果に応じて第１のカードの搬送を制御することにより、第２通信部に第２のカードがある状態で第１のカードを第１通信部に搬送することがないため、第２のカードに対する処理を中断することがない。
【００１２】
さらに、カードが待機部にある状態で第２通信部においてユーザによってかざされるカードが無いことを検出した場合、ＩＣリーダライタとユーザによってかざされるカードとの通信を不可能な状態にしてから搬送パス上のカードを第１通信部に搬送するため、ＩＣリーダライタの通信範囲内において複数のカードが混在することがない。
【図面の簡単な説明】
【００１３】
【図１】本発明が適用可能な第１実施形態のプリンタ装置が接続可能されたシステム構成図である。
【図２】第１実施形態のプリンタ装置の概略断面図で、搬送パス上のカードが第１通信部にある状態を示す。
【図３】第１実施形態のプリンタ装置の概略断面図で、搬送パス上のカードが待機部にある状態を示す。
【図４】第１実施形態のプリンタ装置の制御部の概略構成を示すブロック図である。
【図５】第１実施形態のＩＣリーダライタとＩＣカードとの間の通信を示すシーケンス図である。
【図６】第１実施形態のカード発行コマンドを受信する前の処理の流れを説明するフローチャートである。
【図７】第１実施形態のカード発行コマンドを受信した後の処理の流れを説明するフローチャートである。
【図８】第１実施形態のカードの概略構成を示した図である。
【図９】第２実施形態のプリンタ装置の概略断面図で、搬送パス上のカードが第１通信部にある状態を示す。
【図１０】第２実施形態のプリンタ装置の概略断面図で、搬送パス上のカードが待機部にある状態を示す。
【図１１】第３実施形態のプリンタ装置の概略断面図で、搬送パス上のカードが第１通信部にある状態を示す。
【図１２】第３実施形態のプリンタ装置の概略断面図で、搬送パス上のカードが待機部にある状態を示す。
【発明を実施するための形態】
【００１４】
以下、図面を参照して、本発明の第1実施形態について説明する。
＜システム構成＞
図１に示すように、プリンタ装置１は、図示を省略するインターフェースを介して、上位装置１０（例えば、パーソナルコンピュータ等のホストコンピュータ）に接続され、上位装置１０からプリンタ装置１に印刷データやＩＣ記録データ等を送信して、記録動作等を指示することが可能である。
【００１５】
上位装置１０には、一般に、印刷データに使用される画像等を入力する画像入力装置４（例えばカメラやスキャナ等）、上位装置１０に命令やデータを入力するためのキーボードやマウス等の入力装置３、上位装置１０によって生成されたデータや、後述するＩＣリーダライタによってカードから得られたデータ等の表示を行う液晶ディスプレイ等のモニタ２が接続されている。
【００１６】
＜内部構成＞
次に、図２を参照して、プリンタ装置１及び上位装置１０の内部の各構成要素について説明する。カード供給部１６は、プリンタ装置１の一側に着脱自在に設けられ、その内部に記録処理前の複数のブランクなカードＣ１を積層状に収納可能としており、プリンタ装置１側に設けられ、図示を省略するモータにより回転駆動する供給ローラ１７が最下位（最下層）のカードを装置内部へと繰り出す。プリンタ装置１は、筐体２４の内部にカードＣ１が搬送される搬送パスＰを備えており、供給ローラ１７によってカードＣ１は搬送パスＰに繰り出される。
【００１７】
印刷部２０はカードＣ１の表面に文字や画像等のデータを印刷する。第１実施形態においては、印刷部２０は熱転写プリンタの構成が採用されており、搬送パスＰ上の印刷位置に設けられたプラテンローラ２２に対して進退可能に設けられたサーマルヘッド２１を有している。プラテンローラ２２とサーマルヘッド２１との間には、インク層Ｙ（イエロー）、Ｍ（マゼンタ）、Ｃ（シアン）、Ｂｋ（ブラック）等の複数色が面順次に繰り返されたインクリボンＲが介在しており、インクリボンＲを介してサーマルヘッド２１をカードＣ１に対して圧接して印刷を行う。
【００１８】
搬送パスＰ上のカードＣ１は、搬送パスＰに設けられた複数の搬送ローラ（対）１８に狭持されて搬送される。搬送ローラ１８はステッピングモータＭの駆動により回転する。なお、搬送パスＰにはカード検出用のセンサ１５が設けられており、センサ１５はカードＣ１の先端が通過したことを検知する。そして、後述する制御部９５はセンサ１５の検知結果とステッピングモータＭの駆動量を参照してカードＣ１の位置を管理する。
【００１９】
カード供給部１６の下方にはカード排出部２５が装置筐体２４に対して着脱自在に設けられている。カードＣ１に対する処理が全て終了するとカードＣ１はカード排出部２５へ搬送され、処理済のカードＣ１がカード排出部２５に積層状に収納される。カードＣ１がカード排出部２５に搬送される際は、搬送パスＰがカード排出部２５の方向に切り替えられる。
【００２０】
ＩＣリーダライタ１１はＩＣ制御部１１ａとアンテナ（コイル）１１ｂとで構成され、搬送パスＰと筐体２４の天板との間に設けられている。第１実施形態のＩＣリーダライタ１１は電磁誘導方式を利用して、非接触でカードとの通信を行う。カードＣ（図８参照）はＩＣチップ３０とアンテナ（コイル）３１が搭載されており、カードＣのアンテナ３１とＩＣリーダライタのアンテナ１１ｂとの間の誘導起電力を用いて通信を行う。まず、ＩＣリーダライタ１１のアンテナ１１ｂに電流を流して、アンテナ１１ｂに対して垂直方向に磁界を発生させる。次に、この磁界をカードＣのアンテナ３１が受けるとアンテナ３１に起電力が発生し、アンテナ３１に電流が流れることでＩＣチップ３０に電源が供給される。さらに、ＩＣリーダライタ１１は発生した磁界に特定のデータ(コマンド）が変調された信号を乗せて発信し、カードＣは信号を受信することで通信を行う。同様に、カードＣのアンテナ３１に電流が流れることで磁界が発生し、その磁界に乗せてＩＣリーダライタ１１に信号を発信している。
【００２１】
ＩＣリーダライタ１１は通常時、アンテナ１１ｂから応答要求信号を発信している。カードＣが応答要求信号を受信すると応答要求信号に従ってレスポンス信号を発信し、ＩＣリーダライタ１１はレスポンス信号を受信する。これにより、ＩＣリーダライタ１１の通信範囲内にカードＣが存在することを検出する（以下、応答処理という）。その後、ＩＣリーダライタ１１はカードＣに対して特定の番号を照会して認証を行い、認証されたカード以外とは通信を行わないようにする（以下、カード認証処理という）。カードＣが認証されたら、そのカードＣに対して上位装置１０の命令に従ってデータの書込みまたは読込み処理を行う（以下、リードライト処理という）（図５参照）。
【００２２】
上述したように、ＩＣリーダライタ１１は非接触でカードＣとの通信を行うため、発生した磁界の範囲内であればどこでもＩＣリーダライタ１１とカードＣとは通信可能である。そこで第１実施形態のＩＣリーダライタ１１の通信可能領域は図２の符号１２、１３に示した範囲であり、ＩＣリーダライタ１１に対して搬送パスＰ側を第１通信部１２、筐体２４の天板側を第２通信部１３という。なお、筐体２４の天板の一部には上述した磁界を通過させる材質で構成されたカードかざし部３３が設けられており、ユーザはカードかざし部３３にカードＣ２をかざすことにより第２通信部１３にカードＣ２を進入させる。
【００２３】
よって、第１通信部１２では、搬送パスＰ上で搬送されたカードＣ１との通信を行い、第２通信部１３では、ユーザによってカードかざし部３３にかざされたカードＣ２との通信を行う。また、図２は、ユーザによってカードＣ２がカードかざし部３３にかざされている状態を表し、この状態ではＩＣリーダライタ１１とカードＣ２との間で通信が行われている。一方図３はカードＣ１が搬送パスＰ上の第１通信部１２に搬送された状態を表し、この状態ではＩＣリーダライタ１１とカードＣ１との間で通信が行われている。
【００２４】
図２および図３に示した遮断板３２は、ＩＣリーダライタ１１から発生した磁界を遮断するような材質の板であり、不図示のモータによって遮断位置と退避位置との間を移動可能に設けられている。図２に示したように、遮断板３２が退避位置にあるときは第２通信部１３の範囲はカードかざし部３３に到達しているため、ユーザによってカードかざし部３３にかざされたカードＣ２はＩＣリーダライタ１１と通信可能である。一方、図３に示したように遮断板３２が遮断位置にあるときは、遮断板３２によってＩＣリーダライタ１１が発する磁界を遮ることで第２通信部の範囲がカードかざし部３３に到達しない。よって、ユーザによってカードかざし部３３にかざされたカードＣ２は第２通信部１３の範囲外にあるためカードＣ２とＩＣリーダライタ１１との通信は不可能である。
【００２５】
また、搬送パスＰにおいて印刷部２０と第１通信部１２との間に待機部１４を設け、カードＣ１が待機部１４にある状態では、ＩＣリーダライタ１１とカードＣ１との通信は行われない（図２参照）。
【００２６】
また、カードかざし部３３に近接した位置にプリンタ装置１の状態やユーザに対する警告等を表示する表示部１９を備えている。
【００２７】
次に、プリンタ装置１の制御および電気系統について説明する。プリンタ装置１は、プリンタ装置１全体の動作制御を行う制御部９５と、ＩＣリーダライタ１１の制御を行うＩＣ制御部１１ａと、商用交流電源から各機構部および制御部等を駆動／作動可能な直流電源に変換する電源部９０とを有している。
【００２８】
＜制御部＞
図４に示すように、制御部９５は、プリンタ装置１の全体の制御処理を行うマイクロコンピュータ９５ｂ（以下、マイコン９５ｂと略称する。）を備えている。マイコン９５ｂは、中央演算処理装置として高速クロックで作動するＣＰＵ、プリンタ装置１の基本制御動作（プログラムおよびプログラムデータ）が記憶されたＲＯＭ、ＣＰＵのワークエリアとして働くＲＡＭおよびこれらを接続する内部バスで構成されている。
【００２９】
マイコン９５ｂには外部バスが接続されている。外部バスには、上位装置１０の制御部との通信を行うための図示を省略したインターフェース、カードＣ１に印刷すべき印刷記録データ等を一時的に格納するバッファメモリ９５ａが接続されている。
【００３０】
また、外部バスには、センサ１５等の各種センサからの信号を制御するセンサ制御部９５ｃ、各モータに駆動パルスや駆動電力を送出するモータドライバ等を制御するアクチュエータ制御部９５ｄ、サーマルヘッド２１の熱エネルギーを制御するサーマルヘッド制御部９５ｅ、および、表示部１９を制御するための表示制御部９５ｆが接続されている。センサ制御部９５ｃは発光素子、受光素子からなるカード検出センサ１５および他の図示を省略するセンサに、アクチュエータ制御部９５ｄはステッピングモータＭおよび他の図示しないモータ、アクチュエータ等に、サーマルヘッド制御部９５ｅはサーマルヘッド５１に、操作表示制御部９５ｆはオペパネ部５にそれぞれ接続されている。
【００３１】
また、プリンタ装置１に内蔵されたＩＣリーダライタ１１もプリンタ装置１と同様に、ＩＣリーダライタ１１の制御を行うＩＣ制御部１１ａを備えている。ＩＣ制御部１１ａもメモリとマイコンを有し、上位装置１０の制御部と通信を行い、上位装置１０の命令に従って動作する。そして、ＩＣ制御部１１ａはアンテナ１１ｂに対してカードＣとの通信を行うための制御を行う。なお、電源部９０は、制御部９５、サーマルヘッド２１、表示部１９、各センサ（センサ１５を含む）、各アクチュエータ（モータＭを含む）およびＩＣリーダライタ１１に作動／駆動電源を供給している。
【００３２】
＜動作＞
以下、第１実施形態の上位装置１０およびプリンタ装置１の処理フローについて説明する。プリンタ装置１に内蔵されているＩＣリーダライタ１１は、第１通信部にあるカードＣ１に対してはカード発行に伴って上位装置１０から命令された処理を実行する。一方、第２通信部にあるカードＣ２に対してはカードＣ２に格納されている所定のデータを読込んで、読込んだデータを上位装置１０に接続されているモニタ２に表示するようにプログラムされている。ユーザはカードＣ２に印刷された情報と、表示（カードＣ２に格納）された情報とを見比べて、適正なカードであるかを判断する。
【００３３】
ＩＣリーダライタ１１は常時、応答要求信号を発信しており、ＩＣリーダライタ１１の通信範囲に入ってきたカード（レスポンス信号を発信したカード）に対して通信を行う。よって、第１通信部においてカードＣ１に対してカード発行処理を行うためのコマンドが上位装置１０から発生していない場合は、カードＣ１が搬送パスＰに繰り出されないため、ユーザによってかざされたカードＣ２に対する処理を行う（図６参照）。
【００３４】
上位装置１０によってカード発行コマンドが生成され、プリンタ装置１に命令が出された場合は、カードＣ１が搬送パスＰに繰り出されるため、カードＣ１とカードＣ２がＩＣリーダライタ１１の通信範囲内（第1通信部および第２通信部）で混在する可能性がある。よって、第１実施形態では以下の処理フローに従って動作する（図７参照）。
【００３５】
まず、上位装置１０によってカードＣ１に対するカード発行コマンドが生成される。プリンタ装置１はコマンドを受信すると、ＩＣリーダライタ１１は応答要求信号の発信を停止する（Ｓ１）。その後カードＣ１を搬送パスＰに繰り出し（Ｓ２）、待機部１４まで搬送する（Ｓ３）。ここでＩＣリーダライタ１１は応答要求信号を発信し（Ｓ４）、応答要求信号に対する反応の有無により、第２通信部においてカードＣ２の有無を検出する（Ｓ５）。もしカードＣ２が存在すると検出された場合は、カードＣ１の搬送を停止したまま（Ｓ６）第２通信部にあるカードＣ２に対するＩＣ処理を行う（Ｓ７）。カードＣ２に対するＩＣ処理が終了すると再び応答要求信号を発信する（Ｓ４）。
【００３６】
この応答要求信号に対する反応の有無によりカードＣ２が存在しないと検出された場合、遮断板３２を遮断位置に移動させて、第２通信部１３の範囲を強制的に縮めることでＩＣリーダライタ１１とカードかざし部３３にかざされるカードＣ２との通信を不可能な状態にする（Ｓ８）。その後、カードＣ１の搬送を再開して第１通信部１２にカードＣ１を搬送し（Ｓ９）、カードＣ１に対してＩＣ処理を行う（Ｓ１０）。ＩＣ処理が終了するとカードＣ１を印刷部２０の方向にスイッチバック搬送させる（Ｓ１１）。ここで、カードＣ１がセンサ１５を通過したときに遮断板３２を退避位置に移動させて、第２通信部１３の範囲を元に戻すことでＩＣリーダライタ１１とカードＣ２との通信を可能な状態にする（Ｓ１２）。印刷部２０に搬送されたカードＣ１に対して印刷処理を行い（Ｓ１３）、全ての処理が終了したカードＣ１はカード排出部２５に排出される（Ｓ１４）。
【００３７】
（第２実施形態）
次に、本発明の第２実施形態について説明する。なお、第１実施形態の構成と同一の部分には同じ符号を付して説明を省略する。
【００３８】
図９および図１０は、第２実施形態にかかるプリンタ装置１の構成を示す概略断面図である。第１実施形態では、遮断位置と退避位置との間を移動可能な遮断板３２を備えて、カードＣ１に対してＩＣ処理を行う際は遮断板３２が遮断位置に移動することで、第２通信部においてＩＣリーダライタ１１とカードＣ２との通信が不可能な状態にしていたが、第２実施形態では遮断板３２を備えていない。
【００３９】
その代わりに、ＩＣリーダライタは搬送パスＰとカードかざし部３３との間の、搬送パスＰ寄りに配置され（Ｌ１＜Ｌ２）、さらにＩＣ制御部１１ａはアンテナ１１ｂに流す電流の強さを２段階に調節できるように構成されている。基本的には図９に示すように、第１通信部と第２通信部との両方の範囲が搬送パスＰおよびカードかざし部３３に到達しているが、アンテナ１１ｂに流す電流の強さを弱めることで図１０に示すように通信範囲が縮まり、第１通信部１２の範囲は搬送パスＰに到達しているが第２通信部１３の範囲はカードかざし部３３に到達しないようにする。よって、カードＣ１は第１通信部１２に進入できるのでＩＣリーダライタ１１との通信が可能であるが、ユーザはカードかざし部３３にカードＣ２をかざしても、カードＣ２は第２通信部１３の範囲外にあるためカードＣ２とＩＣリーダライタ１１との通信は不可能である。
【００４０】
第２実施形態の上位装置１０およびプリンタ装置１の動作も第１実施形態と基本的には同様である。ただし、図７のカードＣ２に対する通信禁止処理（Ｓ８）と通信禁止解除処理（Ｓ１２）の方法が第１実施形態とは異なる。よって、ここでは第１実施形態とは異なるステップＳ５以降の説明をする。
【００４１】
ステップＳ５において第２通信部１３においてカードＣ２が無いことを検出した場合、ＩＣ制御部１１ａはアンテナ１１ｂに流している電流を弱めて、第１通信部１２および第２通信部１３の範囲を縮める（通信禁止処理Ｓ８）。その後カードＣ１を第１通信部１２に搬送して（Ｓ９）カードＣ１に対するＩＣ処理を行う（Ｓ１０）。ＩＣ処理が終了するとカードＣ１を印刷部２０の方向にスイッチバック搬送させる（Ｓ１１）。ここで、カードＣ１がセンサ１５を通過したときにＩＣ制御部１１ａはアンテナ１１ｂに流している電流を強くして、第２通信部１３の範囲を元に戻すことでＩＣリーダライタ１１とカードＣ２との通信を可能な状態にする（Ｓ１２）。印刷部２０に搬送されたカードＣ１に対して印刷処理を行い（Ｓ１３）、全ての処理が終了したカードＣ１はカード排出部２５に排出される（Ｓ１４）。
【００４２】
（第３実施形態）
次に、本発明の第３実施形態について説明する。なお、第１実施形態の構成と同一の部分には同じ符号を付して説明を省略する。
【００４３】
図１１および図１２は、第３実施形態にかかるプリンタ装置１の構成を示す概略断面図である。第１実施形態では、ユーザがカードＣ２をカードかざし部３３にかざすことでカードＣ２を第２通信部１３に進入させていたが、第３実施形態では、筐体２４の一部にユーザがカードＣ２を手挿しで挿入するための挿入部３４が設けられている。
【００４４】
挿入部３４の入り口にはシャッター部材３５が設けられており、シャッター部材３５が開いているときは、ユーザはカードＣ２を挿入部３４に挿入できるが（図１１参照）、シャッター部材３５が挿入部３４の入り口を塞ぐように閉じているときはカードＣ２を挿入することはできない（図１２参照）。なお、シャッター部材３５は不図示のソレノイドによって開位置と閉位置との間を移動する。
【００４５】
また、図１１に示すとおり、カードＣ２が挿入部３４に挿入されているときは、カードＣ２は第２通信部１３の範囲内に存在するためカードＣ２とＩＣリーダライタ１１との間で通信が可能であるが、図１２に示すようにシャッター部材３５によってカードＣ２が挿入部３４に挿入できないときは、カードＣ２は第２通信部１３の範囲外にあるため、カードＣ２とＩＣリーダライタ１１との間の通信は不可能である。
【００４６】
第３実施形態の上位装置１０およびプリンタ装置１の動作も第１実施形態と基本的には同様である。ただし、図７のカードＣ２に対する通信禁止処理（Ｓ８）と通信禁止解除処理（Ｓ１２）の方法が第１実施形態とは異なる。よって、ここでは第１実施形態とは異なるステップＳ５以降の説明をする。
【００４７】
ステップＳ５において第２通信部１３においてカードＣ２が無いことを検出した場合、シャッター部材３５を閉じて、ユーザがカードＣ２を挿入部３４に挿入することができないようにする（通信禁止処理Ｓ８）。その後カードＣ１を第１通信部１２に搬送して（Ｓ９）カードＣ１に対するＩＣ処理を行う（Ｓ１０）。ＩＣ処理が終了するとカードＣ１を印刷部２０の方向にスイッチバック搬送させる（Ｓ１１）。ここで、カードＣ１がセンサ１５を通過したときにシャッター部材３５を開けて、ユーザがカードＣ２を挿入部３４に挿入可能な状態にする。よって、ＩＣリーダライタ１１とカードＣ２とが通信可能な状態になる（Ｓ１２）。印刷部２０に搬送されたカードＣ１に対して印刷処理を行い（Ｓ１３）、全ての処理が終了したカードＣ１はカード排出部２５に排出される（Ｓ１４）。
【００４８】
＜効果等＞
本形態のプリンタ装置１では、内蔵されたＩＣリーダライタ１１が、第１通信部１２にあるカードＣ１および第２通信部１３にあるカードＣ２と選択的に通信可能に設けられており、カード搬送パスＰ上のカードＣ１が第１通信部１２以外の待機部１４にあるときに第２通信部１３におけるカードＣ２の有無を検出する。その結果に応じてカードＣ１の搬送を制御することにより、第２通信部１３にカードＣ２がある状態でカードＣ１を第１通信部１２に搬送することがないため、ＩＣリーダライタ１１の通信範囲内に複数のカードが混在することによって発生するエラーを低減できる。
【００４９】
さらに、カードＣ１が待機部１４にある状態で第２通信部１３においてカードＣ２が無いことを検出した場合、ＩＣリーダライタ１１とカードＣ２との通信を不可能な状態にしてからカードＣ１を第１通信部１２に搬送するため、ＩＣリーダライタ１１の通信範囲内においてカードＣ１とカードＣ２が混在することがない。
【００５０】
なお、実施形態では待機部１４は搬送パスＰ上で第１通信部１２と印刷部２０との間に設けられている例を示したが、搬送パスＰ上で第１通信部１２以外の位置であればどこでもよい。また、カードＣ１が待機部１４で停止した状態でカードＣ２の有無を検出する例を示したが、カードＣ１が搬送パスＰに繰り出されてから第１通信部１２に搬送されるまでの間にカードＣ２を検出してもよい。さらに、上位装置１０からカード発行コマンドを受信したときに、応答要求信号の発信を停止する例を示したが、カードＣ１が待機部１４に搬送されるまで常に発信していてもよい。こうすることにより、カードＣ１が待機部１４に搬送されている最中もカードＣ２のＩＣ処理をすることができる。
【００５１】
また、カードＣ１が待機部１４にいる状態で第２通信部１３におけるカードＣ２の有無を検出する方法として、ＩＣリーダライタ１１が発信する応答要求信号に対する返答の有無によってカードＣ２の有無を検出する例を示したが、第２通信部１３にカードの有無を検知するためのセンサを設けて、直接カードの有無を検出してもよい。
【００５２】
さらに、図７のＳ８からＳ１２までの間、すなわちＩＣリーダライタ１１とカードＣ２との通信を不可能な状態にしている間は、第２通信部１３近傍に設けられた表示部１９で、ユーザがカードＣ２をカードかざし部３３にかざしたり、挿入部３４に挿入したりしないように警告表示をしてもよい。その際、赤色のＬＥＤを点滅させたり、文字情報で「処理不可能」と表示したりしてもよい。なお、ＩＣリーダライタ１１とカードＣ２とが通信可能な状態では、表示部１９で青色のＬＥＤを点灯したり、文字情報で「処理可能」と表示したりしてもよい。
【００５３】
さらに、本形態のプリンタ装置１では熱転写方式の印刷部２０が設けられているが、カードＣ１の表面に可視情報を記録できるものであればよい。また、本形態ではカードＣ１に対するＩＣ処理後に印刷部２０で印刷処理を行うと記載したが、ＩＣ処理の前に印刷処理をしてもよい。さらに、本形態では処理済のカードＣ１はカード排出部２５から排出される構成であるが、カード供給部１６の装置筐体２４に対する反対側にカード排出口２３を設けて、カードＣ１をカード排出口２３から排出してもよい。この構成であれば、まずカードＣ１に対して印刷処理を行い、その後ＩＣ処理をして、そのままカードＣ１をカード排出口２３から排出する。
【００５４】
なお、カードＣ１に対する処理が印刷のみでＩＣ処理が行われない場合、カードＣ１に印刷処理を行い、そのままカード排出部２５に排出すると、カードＣ１は第１通信部１２を通過しないため第２通信部１３におけるカードＣ２に対するＩＣ処理を邪魔することはない。
【００５５】
また、本形態では、上位装置１０からの命令でプリンタ装置１およびＩＣリーダライタ１１を動作させる例を示したが、プリンタ装置１やＩＣリーダライタのファームウェアに従って動作させてもよい。
【産業上の利用可能性】
【００５６】
本発明は、搬送パス上のカードと、ユーザによって装置筐体の外部からかざされるカードとに対して通信可能な非接触ＩＣリーダライタ装置であって、両カードがＩＣリーダライタの通信範囲内で混在することによるエラーを低減できる非接触ＩＣリードライトシステム、非接触ＩＣリーダライタ装置およびプリンタ装置を提供するものであるため、非接触ＩＣリードライトシステム、非接触ＩＣリーダライタ装置およびプリンタ装置の製造、販売に寄与するので、産業上の利用可能性を有する。
【符号の説明】
【００５７】
１  プリンタ装置
１０  上位装置（ホストコンピュータ）
１１  ＩＣリーダライタ
１１ａ  ＩＣ制御部
１１ｂ  アンテナ
１２  第１通信部
１３  第２通信部
１４  待機部
１５  センサ
１８  搬送ローラ
１９  表示部
２０  印刷部
２４  筐体
２５  カード排出部
３０  ＩＣチップ
３１  アンテナ
３２  遮断板
３３  カードかざし部
３４  挿入部
３５  シャッター部材
９５  制御部
Ｃ  カード
Ｃ１  搬送パス上のカード
Ｃ２  ユーザによってかざされたカード
Ｐ  搬送パス
Ｍ  モータ
【図１】
2010262417.tif 000003
【図２】
2010262417.tif 000004
【図３】
2010262417.tif 000005
【図４】
2010262417.tif 000006
【図５】
2010262417.tif 000007
【図６】
2010262417.tif 000008
【図７】
2010262417.tif 000009
【図８】
2010262417.tif 000010
【図９】
2010262417.tif 000011
【図１０】
2010262417.tif 000012
【図１１】
2010262417.tif 000013
【図１２】
2010262417.tif 000014